(57)【要約】【課題】本発明の課題は、製版データ作成工程において、製版データの製版印刷適正作業の能率を向上する製版データ適正保証装置、および、方法を提供することである。【解決手段】適正保証型製版編集装置と、適正保証型製版装置とがネットワーク接続して、構成される製版データ適正保証システムであって、適正保証型製版編集装置は、書体検証プロファイルと印刷色検証プロファイルとを受信して、製版データの書体コードを、書体検証プロファイルにて検証して、製版データの網点情報を、印刷色検証プロファイルにて検証して、製版データに、前記２つのプロファイルを加えて、送信する編集装置であって、適正保証型製版装置は、書体コードを含む書体検証プロファイルを作成して、送信して、網点情報を含む印刷色検証プロファイルを作成して、送信して、前記２つのプロファイルを含んだ製版データを受信する製版装置である製版データ適正保証システムである。【選択図】図１
2007114958.tif 000002
【特許請求の範囲】
【請求項１】
適正保証型製版編集装置と、適正保証型製版装置とがネットワーク接続して、構成される製版データ適正保証システムであって、
適正保証型製版編集装置は、
書体コードと網点情報と含む製版データと、書体コードを含む書体検証プロファイルと、網点情報とを含む印刷色検証プロファイルとを記憶する記憶手段と、
書体検証プロファイルと印刷色検証プロファイルとを受信するプロファイル受信手段と、
製版データの書体コードを、書体検証プロファイルにて検証する書体検証手段と、
製版データの網点情報を、印刷色検証プロファイルにて検証する印刷色検証手段と、
製版データに、書体検証プロファイルと印刷色検証プロファイルとを加えて、送信する製版データ送信手段
を備えた編集装置であって、
適正保証型製版装置は、
書体コードを含む文字書体データと網点情報を含む印刷デバイスプロファイルとを記憶する記憶手段と、
文字書体データの書体コードを取得して、これを含む書体検証プロファイルを作成する書体検証プロファイル作成手段と、
印刷デバイスプロファイルの網点情報を取得して、これを含む印刷色検証プロファイルを作成する印刷色検証プロファイル作成手段と、
書体検証プロファイルと印刷色検証プロファイルとを送信するプロファイル送信手段と、
書体検証プロファイルと印刷色検証プロファイルとを含んだ製版データを受信する製版データ受信手段と、
を備えた製版装置である、
ことを特徴とする製版データ適正保証システム。
【請求項２】
前記書体検証手段は、製版データの書体コードが、書体検証プロファイルに存在しない場合には、書体不適正を発行して、
前記印刷色検証手段は、製版データの網点情報が、印刷色検証プロファイルに存在しない場合には、色範囲不適正を発行する、
ことを特徴とする請求項１に記載の製版データ適正保証システム。
【請求項３】
書体コードと網点情報と含む製版データと、書体コードを含む書体検証プロファイルと、網点情報とを含む印刷色検証プロファイルとを記憶する記憶手段と、
文字書体データの書体コードを含む書体検証プロファイルを作成する書体検証プロファイル作成手段と、
印刷デバイスプロファイルの網点情報を含む印刷色検証プロファイルを作成する印刷色検証プロファイル作成手段と、
製版データの書体コードを、書体検証プロファイルにて検証する書体検証手段と、
製版データの網点情報を、印刷色検証プロファイルにて検証する印刷色検証手段と、
製版データに、書体検証プロファイルと印刷色検証プロファイルとを加えて、送信する製版データ送信手段と、
を備えることを特徴とする適正保証型製版編集装置。
【請求項４】
前記書体検証手段は、製版データの書体コードが、書体検証プロファイルに存在しない場合には、書体不適正を発行して、
前記印刷色検証手段は、製版データの網点情報が、印刷色検証プロファイルに存在しない場合には、色範囲不適正を発行する、
ことを特徴とする請求項３に記載の適正保証型製版編集装置。
【請求項５】
書体コードを含む文字書体データと、網点情報を含む印刷デバイスプロファイルと、書体コードと網点情報と含むを製版データと、書体コードを含む書体検証プロファイルと、網点情報とを含む印刷色検証プロファイルとを利用する製版データ適正保証方法であって、
文字書体データの書体コードを取得して、これを含む書体検証プロファイルを作成する書体検証プロファイル作成ステップと、
印刷デバイスプロファイルの網点情報を取得して、これを含む印刷色検証プロファイルを作成する印刷色検証プロファイル作成ステップと、
製版データの書体コードを、書体検証プロファイルにて検証する書体検証ステップと、
製版データの網点情報を、印刷色検証プロファイルにて検証する印刷色検証ステップと、
書体検証プロファイルと印刷色検証プロファイルとを含んだ製版データを送信する製版データ送信ステップと、
を含んだ手順を含んだ手順でなされることを特徴とする製版データ適正保証方法。
【請求項６】
前記書体検証ステップは、製版データの書体コードが、書体検証プロファイルに存在しない場合には、書体不適正を発行して、
前記印刷色検証ステップは、製版データの網点情報が、印刷色検証プロファイルに存在しない場合には、色範囲不適正を発行する、
ことを特徴とする請求項５に記載の適正保証型製版編集方法。
【請求項７】
コンピュータに組込むことによって、コンピュータを請求項１から、請求項４のいずれか一項に記載の製版データ適正保証システム、または、製版データ適正保証装置として動作させるコンピュータプログラム。
【請求項８】
請求項７に記載のコンピュータプログラムを記録したコンピュータ読取り可能な記録媒体。
【発明の詳細な説明】
【技術分野】
【０００１】
本発明は、製版編集工程において、製版印刷装置に適さない製版データの作成を防止して、印刷が可能な製版データを作成するための、製版データ適正保証装置に関するものである。
【０００２】
従来から、製版データ作成フローにおいては、ＤＴＰ工程において作成した印刷データを、後工程の製版工程において、印刷可能なデータ（たとえば、文字の書体指定や印刷の色範囲指定など）であるかどうかを適正チェックしている。
【背景技術】
【０００３】
たとえば、特許文献１には、印刷データ送信工程において、遠隔に所在する印刷装置に印刷データを送信するためのサーバ装置が、印刷可能な印刷データであるかを検証する技術が開示されている。
（従来技術１）
【特許文献１】特願２００４−７０３９９号公報（３−８頁、図１、３−７）
【発明の開示】
【発明が解決しようとする課題】
【０００４】
しかし、従来技術１では、印刷データ送信工程において、検証の結果、印刷データが不適正であった場合には、製版編集工程に戻って、編集オペレータが、編集データを修正してから印刷データを作成していたために、修正作業に多大の時間を要してしまい、修正作業の効率が悪いという欠点があった。
【０００５】
本発明はこのような従来技術を考慮してなされたものであって、本発明の課題は、製版データ作成工程において、製版データの製版印刷適正作業の能率を向上する製版データ適正保証装置、および、方法を提供することである。
【課題を解決するための手段】
【０００６】
本発明は、以下のような解決手段により、前記課題を解決する。すなわち、請求項１の発明は、適正保証型製版編集装置と、適正保証型製版装置とがネットワーク接続して、構成される製版データ適正保証システムであって、適正保証型製版編集装置は、書体コードと網点情報と含む製版データと、書体コードを含む書体検証プロファイルと、網点情報とを含む印刷色検証プロファイルとを記憶する記憶手段と、書体検証プロファイルと印刷色検証プロファイルとを受信するプロファイル受信手段と、製版データの書体コードを、書体検証プロファイルにて検証する書体検証手段と、製版データの網点情報を、印刷色検証プロファイルにて検証する印刷色検証手段と、製版データに、書体検証プロファイルと印刷色検証プロファイルとを加えて、送信する製版データ送信手段とを備えた編集装置であって、適正保証型製版装置は、書体コードを含む文字書体データと網点情報を含む印刷デバイスプロファイルとを記憶する記憶手段と、文字書体データの書体コードを取得して、これを含む書体検証プロファイルを作成する書体検証プロファイル作成手段と、印刷デバイスプロファイルの網点情報を取得して、これを含む印刷色検証プロファイルを作成する印刷色検証プロファイル作成手段と、書体検証プロファイルと印刷色検証プロファイルとを送信するプロファイル送信手段と、書体検証プロファイルと印刷色検証プロファイルとを含んだ製版データを受信する製版データ受信手段と、を備えた製版装置である、ことを特徴とする製版データ適正保証システムである。
【０００７】
したがって、製版データに含まれる文字の書体コードが適正であることが保証される。また、製版データに含まれる網点情報は、たとえば、印刷機で使用しない色の指定（たとえば、ＹＭＣＫ網点％値が、それぞれC100％、M100％、Y100％、K100％の色）を防いで、製版データに含まれる網点情報が適正であることが保証される。
【０００８】
請求項２の発明は、前記書体検証手段は、製版データの書体コードが、書体検証プロファイルに存在しない場合には、書体不適正を発行して、前記印刷色検証手段は、製版データの網点情報が、印刷色検証プロファイルに存在しない場合には、色範囲不適正を発行する、ことを特徴とする請求項１に記載の製版データ適正保証システムである。
【０００９】
請求項３の発明は、書体コードと網点情報と含む製版データと、書体コードを含む書体検証プロファイルと、網点情報とを含む印刷色検証プロファイルとを記憶する記憶手段と、
文字書体データの書体コードを含む書体検証プロファイルを作成する書体検証プロファイル作成手段と、印刷デバイスプロファイルの網点情報を含む印刷色検証プロファイルを作成する印刷色検証プロファイル作成手段と、製版データの書体コードを、書体検証プロファイルにて検証する書体検証手段と、製版データの網点情報を、印刷色検証プロファイルにて検証する印刷色検証手段と、製版データに、書体検証プロファイルと印刷色検証プロファイルとを加えて、送信する製版データ送信手段と、を備えることを特徴とする適正保証型製版編集装置である。
【００１０】
請求項４の発明は、前記書体検証手段は、製版データの書体コードが、書体検証プロファイルに存在しない場合には、書体不適正を発行して、前記印刷色検証手段は、製版データの網点情報が、印刷色検証プロファイルに存在しない場合には、色範囲不適正を発行する、ことを特徴とする請求項３に記載の適正保証型製版編集装置である。
【００１１】
請求項５の発明は、書体コードを含む文字書体データと、網点情報を含む印刷デバイスプロファイルと、書体コードと網点情報と含むを製版データと、書体コードを含む書体検証プロファイルと、網点情報とを含む印刷色検証プロファイルとを利用する製版データ適正保証方法であって、文字書体データの書体コードを取得して、これを含む書体検証プロファイルを作成する書体検証プロファイル作成ステップと、印刷デバイスプロファイルの網点情報を取得して、これを含む印刷色検証プロファイルを作成する印刷色検証プロファイル作成ステップと、製版データの書体コードを、書体検証プロファイルにて検証する書体検証ステップと、製版データの網点情報を、印刷色検証プロファイルにて検証する印刷色検証ステップと、書体検証プロファイルと印刷色検証プロファイルとを含んだ製版データを送信する製版データ送信ステップと、を含んだ手順を含んだ手順でなされることを特徴とする製版データ適正保証方法である。
【００１２】
請求項６の発明は、前記書体検証ステップは、製版データの書体コードが、書体検証プロファイルに存在しない場合には、書体不適正を発行して、前記印刷色検証ステップは、製版データの網点情報が、印刷色検証プロファイルに存在しない場合には、色範囲不適正を発行する、ことを特徴とする請求項５に記載の適正保証型製版編集方法である。
【００１３】
請求項７の発明は、コンピュータに組込むことによって、コンピュータを請求項１から、請求項４のいずれか一項に記載の製版データ適正保証システム、または、製版データ適正保証装置として動作させるコンピュータプログラムである。
【００１４】
請求項８の発明は、請求項７に記載のコンピュータプログラムを記録したコンピュータ読取り可能な記録媒体である。
【発明の効果】
【００１５】
本願発明によれば、製版編集作業において、製版データの検証作業の能率が向上する。また、製版データの製版印刷適正保証（たとえば、文字書体の設定や、カラー画像データの色範囲指定が正しく設定されていることの保証）により、製版データの正確性が向上して、製版印刷工程での検証作業が減少する。
【発明を実施するための最良の形態】
【００１６】
（実施例）
以下、図面等を参照しながら、本発明の実施の形態について、更に詳しく説明する。図１は、本発明による製版データ適正保証システム１の大まかな構成図である。製版データ適正保証システム１は、適正保証型製版編集装置１００と、適正保証型製版装置３００と、印刷装置５００とをネットワーク接続９００して、構成される。適正保証型製版編集装置１００は、印刷色検証プロファイル３９３と、書体検証プロファイル３９７と受信して、これを記憶する。適正保証型製版編集装置１００は、製版データ１９９を作成して、保持する。適正保証型製版装置３００は、印刷デバイスプロファイル３９１と、文字書体３９５とを記憶する。適正保証型製版装置３００は、印刷色検証プロファイル３９３と、書体検証プロファイル３９７とを作成して、送信する。適正保証型製版装置３００は、製版データ１９９から印刷用データ３９９を作成して、送信する。印刷装置５００は、印刷用データを受信して、印刷する。
【００１７】
図２は、本発明による製版データ適正保証システム１の大まかな動作フローの説明図である。（ア）適正保証型製版装置３００は、文字書体データから書体検証プロファイル３９７を作成する（図２（ア））。適正保証型製版装置３００は、印刷デバイスプロファイルから印刷色検証プロファイル３９３を作成する（同（イ））。適正保証型製版装置３００は、書体検証プロファイル３９７と印刷色検証プロファイル３９３を適正保証型製版編集装置１００に送信する（同（ウ））。
【００１８】
適正保証型製版編集装置１００は、書体検証プロファイル３９７と印刷色検証プロファイル３９３を製版装置３００から受信する（同（カ））。適正保証型製版編集装置１００は、製版編集者が入力したデータを受け付けて、製版データ１９９を作成する（同（キ））。
【００１９】
適正保証型製版編集装置１００は、製版データの文字書体が製版装置３００（たとえば、ＲＩＰ）に登録されている文字書体であることを、書体検証プロファイル３９７を参照して、検証して、文字書体適正保証する（同（サ））。
【００２０】
適正保証型製版編集装置１００は、製版データの色指定範囲が製版装置３００の色設定範囲であることを、印刷色検証プロファイル３９３を参照して、検証して、色範囲適正保証する（同（シ））。このとき、製版データ１９９が適正保証出来なかった場合は、強制的に（キ）に戻って、製版データ１９９を修正する。
適正保証型製版編集装置１００は、適正保証された製版データ１９９を製版装置３００に送信する（同（ス））。
【００２１】
適正保証型製版装置３００は、適正保証された製版データ１９９を受信して、印刷データを作成する。印刷データを印刷装置５００へ送信する（同（タ））。
【００２２】
なお、適正保証型製版編集装置１００と適正保証型製版装置３００とは、ネットワークで接続されていなくても良い。このときには、書体検証プロファイル３９７や印刷色検証プロファイル３９３や製版データ１９９は、作業者が記憶媒体に記録して、両装置の間で受け渡しする。
【００２３】
図３は、製版データ適正保証システム１の詳細な構成図である。製版データ適正保証システム１は、適正保証型製版編集装置１００と、適正保証型製版装置３００とをネットワーク接続して、構成される。適正保証型製版編集装置１００は、書体検証手段１１０と、印刷色検証手段１２０と、製版データ送信手段１５０と、製版編集手段１６０と、プロファイル受信手段１７０と、記憶手段１９０とを備える。記憶手段１９０は、書体検証プロファイル３９７と、印刷色検証プロファイル３９３と、製版データ１９９とを記憶する。
【００２４】
書体検証プロファイル３９７は、書体コードを含むデータである。印刷色検証プロファイル３９３は、網点情報（たとえば、ＹＭＣＫの網点％値）を含むデータである。製版データ１９９は、書体コードと網点データ（たとえば、ＹＭＣＫの網点％値）を含むデータである。
【００２５】
書体検証手段１１０は、製版データの書体コードを取得して、これをキーにして、書体検証プロファイルを参照して、前記キーと一致する書体コードが存在すれば、書体適正保証をして（たとえば、書体適正を発行する）、前記キーと一致する書体コードが存在しなければ、書体適正保証をしない（たとえば、書体不適正を発行する）。印刷色検証手段１２０は、製版データの網点データを取得して、これをキーにして、印刷色検証プロファイルと照合して、前記キーと一致する網点情報が存在すれば、色範囲適正保証をして（たとえば、色範囲適正を発行する）、前記キーと一致する網点情報が存在しなければ、色範囲適正保証をしない（たとえば、色範囲不適正を発行する）。製版データ送信手段１５０は、製版データに、書体検証プロファイルと印刷色検証プロファイルとを加えて、これを送信する。製版編集手段１６０は、書体コードと網点データとを含んだ製版データ１９９を作成する。プロファイル受信手段１７０は、書体検証プロファイルと印刷色検証プロファイルとを送信する。
【００２６】
書体検証手段１１０と、印刷色検証手段１２０と、製版データ送信手段１５０と、プロファイル受信手段１７０と、製版編集手段１６０とは、コンピュータプログラムである。記憶手段１９０は、不揮発性メモリーである。書体検証プロファイル３９７と、印刷色検証プロファイル３９３とは、コンピュータプログラムが可読なデータの集合体である。
【００２７】
適正保証型製版装置３００は、書体検証プロファイル作成手段３１０と印刷色検証プロファイル作成手段３２０とプロファイル送信手段３３０と製版データ受信手段３４０と、記憶手段３９０とを備える。記憶手段３９０は、文字書体データ３９５と、印刷色検証プロファイル３９３と、書体検証プロファイル３９７と、印刷デバイスプロファイル３９１とを記憶する。
【００２８】
文字書体データ３９５は、書体コードと書体フォントパターンデータと対応付けたデータである。印刷デバイスプロファイル３９１は、網点情報と測色データとを対応付けた表形式のデータである。
【００２９】
書体検証プロファイル作成手段３１０は、文字書体データ３９５の書体コードを取得して、これを含む書体検証プロファイル３９７を作成する。印刷色検証プロファイル作成手段３２０は、印刷デバイスプロファイル３９１の網点情報を取得して、これを含む印刷色検証プロファイル３９３を作成する。プロファイル送信手段３３０は、書体検証プロファイルと印刷色検証プロファイルとを送信する。製版データ受信手段３４０は、書体検証プロファイルと印刷色検証プロファイルとを含んだ製版データを受信する。
【００３０】
書体検証プロファイル作成手段３１０と印刷色検証プロファイル作成手段３２０とプロファイル送信手段３３０と製版データ受信手段３４０とは、コンピュータプログラムである。記憶手段１９０は、不揮発性メモリーである。文字書体データ３９５と、印刷色検証プロファイル３９３と、書体検証プロファイル３９７と、印刷デバイスプロファイル３９１とは、コンピュータプログラムが可読なデータの集合体である。
【００３１】
図４は、製版データの形式を説明する図である。製版データ１９９は、テキストデータ・オブジェクト部と、画像データ・オブジェクト部と、図形データ・オブジェクト部と、管理データ・オブジェクト部とを含んだデータから構成される。テキストデータ・オブジェクト部は、テキストＩＤと、文字割付と、文字の色情報と、書体コード１９９ａと、原稿ＩＤとを含んだレイアウトデータと、テキストデータなどから構成される。画像データ・オブジェクト部は、画像ＩＤと、座標値と、サイズとを含んだレイアウトデータと、複数の網点データ（ＹＭＣＫの網点％値を組合せたデータ）を含んだ画像データ１９９ｂから構成される。図形データ・オブジェクト部は、図形ＩＤと、形状と、座標値と、図形の色情報１９９ｃとを含んだレイアウトデータから構成される。管理データ・オブジェクト部は、製版データＩＤ、作成日時を含んだ管理データから構成される。
【００３２】
図５は、文字書体データ３９５の形式と例を説明する図である。文字書体データ３９５は、書体コードと書体名とフォントパターンデータとを対応付けた表形式のデータである。たとえば、「書体コード＝1001」「書体名＝秀英明朝体」「フォントパターンデータ＝秀英明朝フォントパターンデータ」や、「書体コード＝1002」「書体名＝秀英ゴシック体」「フォントパターンデータ＝秀英ゴシックフォントパターンデータ」や、「書体コード＝1003」「書体名＝秀英教科書体」「フォントパターンデータ＝秀英教科書体フォントパターンデータ」などである。
【００３３】
図６は、書体プロファイル３９７の形式を説明する図である。書体プロファイル３９７は、書体コード３９７ａと書体名３９７ｂとを対応付けた表形式のデータである。
【００３４】
図７は、印刷デバイスプロファイル３９１の形式を説明する図である。印刷デバイスプロファイル３９１は、網点ＩＤとＹＭＣＫの網点％値の組合せとＬａｂ測色値とを対応付けた表形式のデータである。
【００３５】
図８は、印刷色検証プロファイル１９３の形式を説明する図である。印刷色プロファイル１９３は、ＹＭＣＫの網点％値を組合せた一覧データである。
【００３６】
図９は、製版データ適正保証処理のフローチャートである。このフローチャートは、図２（サ）（シ）の詳細なフローチャートである。
（１）製版編集手段１６０は、製版作業者が入力した製版情報を取得して、製版データを作成する。（ステップＳ１００）
（２）製版データに、取得していない書体コード１９９ａが存在すれば、次のステップに進む。存在しなければ、ステップＳ１２０に進む。（ステップＳ１１０）
（３）書体検証手段１１０は、製版データの書体コード１９９ａを取得して、これをキーにして、書体検証プロファイル３９７を参照して、前記キーと一致する書体コードが存在しなければ、書体不適正を発行する。（ステップＳ１１５）
（４）書体不適正が発行されたらば、ステップＳ１００に戻る。書体不適正が発行されなければ、ステップＳ１１０に戻る。（ステップＳ１１７）
（５）製版データに、取得していない画像データ１９９ｂが存在すれば、次のステップに進む。画像データ１９９ｂが存在しなければ、ステップＳ１４０に進む。（ステップＳ１２０）
（６）印刷色検証手段１２０は、製版データの画像データ１９９ｂを取得する。（ステップＳ１２５）
（７）選択していない網点データが存在すれば、次のステップに進む。選択していない網点データが存在しなければ、ステップＳ１２０に戻る。（ステップＳ１３０）
（８）印刷色検証手段１２０は、画像データ１９９ｂに含まれる網点データを取得して、これをキーにして、印刷色検証プロファイル３９３と照合して、前記キーと一致する網点情報３９３ａが存在しなければ、色範囲不適正を発行する。（ステップＳ１３５）
（９）色範囲不適正が発行されたらば、ステップＳ１００に戻る。色範囲不適正が発行されなければ、ステップＳ１３０に戻る。（ステップＳ１３７）
（１０）製版データ送信手段１５０は、製版データに書体検証プロファイルと印刷色検証プロファイルとを加えて、これを送信して、終了する。（ステップＳ１４０）
【００３７】
なお、製版データ送信手段１５０が、プロファイルを含んだ製版データを送信することにより、製版装置３００では、製版データに付属させたプロファイルの内容から、製版データの適正チェック内容を確認することができる。
【００３８】
以上詳しく説明したように、本願発明によれば、製版編集作業において、製版データの検証作業の能率が向上した。また、製版データの製版印刷適正保証（たとえば、文字書体の設定や、カラー画像データの色範囲指定が正しく設定されていることの保証）により、製版データの正確性が向上して、製版印刷工程での検証作業が減少した。
【図面の簡単な説明】
【００３９】
【図１】製版データ適正保証システム１の全体構成図
【図２】製版データ適正保証システム１の大まかな処理の流れ図
【図３】製版データ適正保証システム１の詳細な構成図
【図４】製版データの形式
【図５】文字書体データ３９５の形式説明図
【図６】書体プロファイル３９７の形式説明図
【図７】印刷デバイスプロファイル３９１の形式説明図
【図８】印刷色検証プロファイル１９３の形式と例示図
【図９】製版データ適正保証処理のフローチャート
【符号の説明】
【００４０】
１  製版データ適正保証システム
１００  適正保証型製版編集装置
１１０  書体検証手段
１２０  印刷色検証手段
１５０  製版データ送信手段
１６０  製版編集手段
１７０  プロファイル受信手段
１９０  記憶手段
１９９  製版データ
１９９ａ  書体コード
１９９ｂ  画像データ
３００  適正保証型製版装置
３１０  書体検証プロファイル作成手段
３２０  印刷色検証プロファイル作成手段
３３０  プロファイル送信手段
３４０  製版データ受信手段
３９０  記憶手段
３９５  文字書体データ
３９３  印刷色検証プロファイル
３９７  書体検証プロファイル
３９１  印刷デバイスプロファイル
【図１】
2007114958.tif 000003
【図２】
2007114958.tif 000004
【図３】
2007114958.tif 000005
【図４】
2007114958.tif 000006
【図５】
2007114958.tif 000007
【図６】
2007114958.tif 000008
【図７】
2007114958.tif 000009
【図８】
2007114958.tif 000010
【図９】
2007114958.tif 000011